(57)【要約】【課題】構造が簡単で容易に棒状部材を仮固定することができる後施工棒状部材の定着用治具を提供する。【解決手段】コンクリート構造物１に形成された挿入孔２に挿入された棒状部材（鉄筋３）の定着施工時に棒状部材３を仮固定する定着用治具１０であって、コンクリート構造物１に固定されるベース部１１と、挿入孔２から突出する棒状部材３を保持する押え部２１と、を備えている。ベース部１１は、棒状部材３が挿通される挿通部１３を備え、押え部２１は、複数カ所に設けられており、棒状部材３の周囲に配置されていることを特徴とする。押え部２１は、ベース部１１から立ち上がる立上板部２２と、立上板部２２に螺合するネジ部材２３とを備えており、ネジ部材２３は、棒状部材３の側面に向かって出没可能に設けられている。【選択図】図１
2020117923.tif 000002
【特許請求の範囲】
【請求項１】
コンクリート構造物に形成された挿入孔に挿入された棒状部材の定着施工時に前記棒状部材を仮固定する定着用治具であって、
前記コンクリート構造物に固定されるベース部と、
前記挿入孔から突出する棒状部材を保持する押え部と、を備え、
前記ベース部は、前記棒状部材が挿通される挿通部を備え、
前記押え部は、複数カ所に設けられており、前記棒状部材の周囲に配置されている
ことを特徴とする後施工棒状部材の定着用治具。
【請求項２】
前記押え部は、前記ベース部から立ち上がる立上板部と、前記立上板部に螺合するネジ部材とを備えており、
前記ネジ部材は、前記棒状部材の側面に向かって出没可能に設けられている
ことを特徴とする請求項１に記載の後施工棒状部材の定着用治具。
【請求項３】
前記挿通部には、前記挿入孔を塞ぐ蓋部材が設けられており、
前記蓋部材は、弾性部材にて構成され、前記挿入孔の径よりも小さい径を有する棒状部材挿通孔を備えている
ことを特徴とする請求項１または請求項２に記載の後施工棒状部材の定着用治具。
【請求項４】
請求項１乃至請求項３のいずれか一項に記載の後施工棒状部材の定着用治具を用いた後施工棒状部材の定着方法であって、
コンクリート構造物に棒状部材の挿入孔を削孔する削孔工程と、
前記挿入孔に固定用の充填材と棒状部材が挿入された状態で前記挿入孔から突出した前記棒状部材を、前記定着用治具の押え部で保持する仮固定工程と、
前記棒状部材の仮固定を解除して前記定着用治具を取り外す取外工程と、を備えた
ことを特徴とする後施工棒状部材の定着方法。
【発明の詳細な説明】
【技術分野】
【０００１】
本発明は、後施工棒状部材の定着用治具および定着方法に関する。
【背景技術】
【０００２】
コンクリート系の既存構造物を補強したり、補強部材を取り付けたり、新設の構造部材を取り付けたりする際に、せん断補強筋や主筋となる補強鉄筋等の棒状部材を、既存構造部材に後施工で定着する必要がある。特に、鉄筋を上向きに定着させる場合においては、鉄筋が自重によって下がることがあるので、鉄筋を仮固定する必要があった。鉄筋を仮固定するには、従来は、特許文献１に示す治具を用いていた。かかる治具は、鉄筋を挿通するための開口部を跨ぐように分割した一対の分割プレートを用いて鉄筋を挟持することで、鉄筋を既存構造部材に仮固定していた。
【先行技術文献】
【特許文献】
【０００３】
【特許文献１】特開２０１３−８７４９６号公報
【発明の概要】
【発明が解決しようとする課題】
【０００４】
特許文献１の分割プレートを用いる場合、分割プレートの設置および鉄筋の挿入時に、さらに二枚の固定具を取り付けて閉合するなど、構造と手順が複雑で、施工に多くの手間と時間がかかる問題があった。
【０００５】
このような観点から、本発明は、構造が簡単で容易に棒状部材を仮固定することができる後施工棒状部材の定着用治具を提供することを課題とする。また前記定着用治具を用いて容易に棒状部材を仮固定することができる後施工棒状部材の定着方法を提供することを課題とする。
【課題を解決するための手段】
【０００６】
このような課題を解決するための第一の発明は、コンクリート構造物に形成された挿入孔に挿入された棒状部材の定着施工時に前記棒状部材を仮固定する後施工棒状部材の定着用治具であって、前記コンクリート構造物に固定されるベース部と、前記挿入孔から突出する棒状部材を保持する押え部と、を備えている。前記ベース部は、前記棒状部材が挿通される挿通部を備え、前記押え部は、複数カ所に設けられており、前記棒状部材の周囲に配置されていることを特徴とする。
【０００７】
本発明における棒状部材は、既存のコンクリート構造物にコンクリートを増し打ちする際のせん断補強筋やアンカーとして利用されるものであって、たとえば異形鉄筋や鋼棒等にて構成されている。前記構成の後施工棒状部材の定着用治具によれば、ベース部をコンクリート構造物に固定して、押え部で棒状部材を押えるだけで、容易に棒状部材を仮固定することができる。また、かかる定着用治具は、構造が簡単である。さらに、押え部は、棒状部材を囲むように配置されているので、安定した状態で棒状部材を固定できる。
【０００８】
本発明の定着用治具においては、前記押え部は、前記ベース部から立ち上がる立上板部と、前記立上板部に螺合するネジ部材を備えているものが好ましく、前記ネジ部材は、前記棒状部材の側面に向かって出没可能に設けられているものが好ましい。このような構成によれば、複数のネジ部材で棒状部材を複数の方向から押圧するので、棒状部材を確実に保持することができる。さらに、ネジ部材の出没位置を変動することで、棒状部材の固定位置を調整することもできる。
【０００９】
また、本発明の定着用治具においては、前記挿通部には、前記挿入孔を塞ぐ蓋部材が設けられており、前記蓋部材は、弾性部材にて構成され、前記挿入孔の径よりも小さい径を有する棒状部材挿通孔を備えているものが好ましい。このような構成によれば、蓋部材で挿入孔を塞いでいるので、充填材の流動性が高い場合には、充填材の垂れを防ぐことができる。また、セメント系の充填材を用いる場合には、蓋部材で充填材を塞ぐことで充填材の湿潤状態を維持できるので、養生を良好な環境で行える。また、蓋部材が弾性部材にて構成されているので、棒状部材より大径の定着部が棒状部材の先端に設けられている場合であっても、棒状部材を棒状部材挿通孔から挿入孔へと挿入することができる。
【００１０】
前記課題を解決するための第二の発明は、請求項１乃至請求項３のいずれか一項に記載の後施工棒状部材の定着用治具を用いた後施工棒状部材の定着方法である。かかる定着方法は、コンクリート構造物に棒状部材の挿入孔を削孔する削孔工程と、前記挿入孔に固定用の充填材と棒状部材が挿入された状態で前記挿入孔から突出した前記棒状部材を、前記定着用治具の押え部で保持する仮固定工程と、前記棒状部材の仮固定を解除して前記定着用治具を取り外す取外工程と、を備えたことを特徴とする。
【００１１】
本発明の後施工棒状部材の定着方法によれば、ベース部をコンクリート構造物に固定して、押え部で棒状部材を押えるだけで、容易に棒状部材を仮固定することができる。また、押え部は、棒状部材の周囲に配置されているので、安定した状態で棒状部材を固定できる。
【発明の効果】
【００１２】
本発明によれば、定着用治具の構造が簡単であるとともに、容易に棒状部材を仮固定することができる。
【図面の簡単な説明】
【００１３】
【図１】本発明の実施形態に係る後施工棒状部材の定着用治具を用いて棒状部材を仮固定した状態を示した断面図である。
【図２】（ａ）は本発明の実施形態に係る後施工棒状部材の定着用治具を示した側面図、（ｂ）は底面図である。
【図３】本発明の実施形態に係る後施工棒状部材の定着用治具を下方から見上げた分解斜視図である。
【図４】（ａ）は本発明の実施形態に係る後施工棒状部材の定着方法の削孔工程を示した断面図、（ｂ）は定着用治具の取付工程を示した断面図、（ｃ）は充填材の充填工程を示した断面図、（ｄ）は棒状部材の挿入工程を示した断面図、（ｅ）は棒状部材の挟持工程を示した断面図、（ｆ）は定着用治具の取外工程を示した断面図である。
【発明を実施するための形態】
【００１４】
本発明の実施形態に係る後施工棒状部材の定着用治具および定着方法を、添付した図面を参照しながら説明する。本実施形態においては、図１に示すように、既存のコンクリート構造物１に形成された上向きの挿入孔２に、棒状部材である補強用の鉄筋３と固定用の充填材４を下側から挿入する場合を例に挙げて説明する。挿入孔２は、鉄筋３が挿入可能な大きさの断面円形に形成されている。
【００１５】
鉄筋３は、たとえば異形鉄筋にて構成されており、既存のコンクリート構造物１にコンクリートを増し打ちする際のせん断補強筋やアンカーとして利用される。鉄筋３の上端部には、拡径した定着板５ａが取り付けられている。なお、鉄筋３の下端部にも定着板５ｂが取り付けられているが、定着板５ｂの形状は、図１の形状に限定されるものではない。また、棒状部材は、異形鉄筋に限定されるものではなく、鋼棒等の他の部材であってもよい。さらに、棒状部材には、アンカー等、コンクリート構造物に用いる公知の埋設材が含まれる。
【００１６】
充填材４は、たとえば有機系の充填材（エポキシ樹脂など）や無機系のセメント系の充填材（モルタルなど）からなり、下方からノズル（図示せず）等を用いて挿入孔２の奥側（上部）に充填される。なお、充填材４の粘度が低い場合には、袋状の収容体（図示せず）に内蔵された状態で挿入孔に挿入するようにしてもよい。
【００１７】
図２および図３にも示すように、定着用治具１０は、コンクリート構造物１に形成された挿入孔２に挿入された鉄筋３の定着施工時に、鉄筋３の降下を防止するために鉄筋３を仮固定するための治具である。定着用治具１０は、ベース部１１と押え部２１とを備えている。
【００１８】
ベース部１１は、コンクリート構造物１の下面に固定される部位であって、たとえば矩形の金属板にて構成されている。ベース部１１は、鉄筋３が挿通される挿通部１３を備えている。挿通部１３は、ベース部１１の中心位置に形成された貫通孔１３ａと、貫通孔１３ａからベース部１１の外周辺に繋がる切欠き部１３ｂとを備えている（図２の（ｂ）および図３参照）。貫通孔１３ａは、一部が切り欠かれた円形形状を呈しており、挿入孔２と同等の内径を有している。なお、貫通孔１３ａの内径は、鉄筋３の定着板５ａが挿通可能であれば、挿入孔２の内径より小さくてもよいし、大きくてもよい。
【００１９】
切欠き部１３ｂは、鉄筋３がコンクリート構造物１に固定された後に定着用治具１０を横方向にスライドさせて取り外す際に、鉄筋３が通過する部分である。切欠き部１３ｂは、互いに対向する平行な対辺を有している。対辺間の幅寸法は、鉄筋３の胴部が通過可能な長さ（貫通孔１３ａの径より小さく、鉄筋３の胴部よりやや大きい寸法）となっている。
【００２０】
ベース部１１の四隅には、アンカー挿通孔１４（図３参照）がそれぞれ形成されている。各アンカー挿通孔１４には、コンクリート構造物１に螺合されるネジ状のアンカー１５が挿通される。これらのアンカー１５によって、ベース部１１がコンクリート構造物１に固定される。
【００２１】
挿通部１３には、挿入孔２を塞ぐ蓋部材１６が設けられている。蓋部材１６は、弾性部材からなるパッドにて構成されており、平面視長方形形状を呈している。蓋部材１６の短辺寸法は、貫通孔１３ａの内径よりも小さい。蓋部材１６を設置したときに、蓋部材１６の幅方向両側で、挿入孔２と貫通孔１３ａの一部が開口する。蓋部材１６は、鉄筋３が挿通される棒状部材挿通孔１７を備えている。棒状部材挿通孔１７は、鉄筋３の胴部の外径と同等の内径を備えている。棒状部材挿通孔１７の周縁部には、複数の切込み１７ａ（図２の（ｂ）および図３参照）が放射状に形成されており、鉄筋３の定着板５ａの通過時に孔が押し広げられるように構成されている。
【００２２】
なお、蓋部材１６は、充填材４の粘度が大きく、挿入孔２から垂れ落ちる虞がない場合には設けなくてもよい。
【００２３】
押え部２１は、ベース部１１から立ち上がる立上板部２２と、鉄筋３を押圧するネジ部材２３とを備えている。押え部は、複数カ所（本実施形態では、二ヶ所）に設けられており、鉄筋３の周囲に配置されている。
【００２４】
立上板部２２は、断面Ｌ字形状のアングル材２４の一方の板部にて構成されている。アングル材２４は、他方の板部をベース部１１に溶接することで、ベース部１１に固定されている。一方の板部には、貫通孔（図示せず）が形成されており、貫通孔と同軸にナット２５が取り付けられている。一対のアングル材２４，２４は、鉄筋３を挟んで対向するように配置されており、一方の板部同士が互いに平行になる。両アングル材２４，２４の貫通孔およびナット２５は、同軸上に配置されている。貫通孔およびナット２５の軸方向は、鉄筋３と交差している。
【００２５】
ネジ部材２３は、立上板部２２のネジ孔に螺合され、鉄筋３の側面に向かって出没可能に設けられている。ネジ部材２３は、棒ネジ部２３ａと押圧部２３ｂとを備えている。棒ネジ部２３ａは、ネジ孔に螺合される部分であって、回転することで軸方向に出没し、鉄筋３の締め込みが可能となる。押圧部２３ｂは、棒ネジ部２３ａの先端に相対回転可能に取り付けられている。押圧部２３ｂの先端には、弾性部材からなるパッド２３ｃが設けられており、パッド２３ｃが鉄筋３の側面に密着するようになっている。本実施形態では、パッド２３ｃの当接面は平面状であるが、鉄筋３の側面に沿った円弧形状であってもよい。
【００２６】
次に、図４を参照しながら、前記構成の定着用治具１０を用いた後施工棒状部材の定着方法を説明する。かかる定着方法は、削孔工程と仮固定工程と養生工程と取外工程とを備えている。
【００２７】
図４の（ａ）に示すように、削孔工程は、コンクリート構造物１に鉄筋３の挿入孔２を削孔する工程である。削孔工程では、コンクリート構造物１の下方から、削孔工具を上方に向けて削孔する。
【００２８】
仮固定工程は、挿入孔２に充填材４と鉄筋３が挿入された状態で、挿入孔２から突出した鉄筋３を、定着用治具１０の押え部２１で保持する工程である。本実施形態では、仮固定工程は、取付工程と充填工程と棒状部材挿入工程と棒状部材挟持工程とを含む。
【００２９】
図４の（ｂ）に示すように、取付工程は、定着用治具１０をコンクリート構造物１の下面に固定する工程である。取付工程では、ベース部１１の四隅にネジ状のアンカー１５を挿通して、コンクリート構造物１に螺合させることで、定着用治具１０を固定する。定着用治具１０は、削孔された挿入孔２と貫通孔１３ａとが同軸状になるように配置する。
【００３０】
図４の（ｃ）に示すように、充填工程は、充填材４を挿入孔２に充填する工程である。充填工程では、図示しないノズル等を用いて、充填材４を、蓋部材１６の棒状部材挿通孔から挿入孔２内に挿入する。
【００３１】
図４の（ｄ）に示すように、棒状部材挿入工程は、補強用の鉄筋３を挿入孔２に挿入する工程である。棒状部材挿入工程では、蓋部材１６の棒状部材挿通孔１７を介して鉄筋３の上部を挿入する。このとき、棒状部材挿通孔１７の周縁部には複数の切込み１７ａが形成されているので、鉄筋３の定着板５ａを押し込むと棒状部材挿通孔１７が押し広げられる。よって定着板５ａが蓋部材１６を通過することができる。
【００３２】
取付工程と充填工程と棒状部材挿入工程とは、順序を入れ替えることが可能である。たとえば充填工程と棒状部材挿入工程を先に行った後に、取付工程を行ってもよい。この場合、鉄筋３の突出部分はベース部１１の切欠き部１３ｂを通過させて、定着用治具１０を所定位置に配置する。また、棒状部材挿入工程を行った後に充填工程を行ってもよい。この場合、鉄筋３を挿入孔２内の所定位置で仮固定しておき、鉄筋３の周囲の隙間にノズルを用いて充填材を充填する。また、取付工程と棒状部材挿入工程を行った後に、充填工程を行う場合には、蓋部材１６の幅方向両側の、貫通孔１３ａとの隙間から挿入孔２内へノズルを挿入して、充填材を注入する。
【００３３】
図４の（ｅ）に示すように、仮固定工程は、鉄筋３を定着用治具１０の一対の押え部２１，２１で保持して仮固定する工程である。仮固定工程では、押え部２１のネジ部材２３を回転させて、先端の押圧部２３ｂを鉄筋３に押し当てる。押え部２１は、鉄筋３の両側に配置されているので、鉄筋３が挟持される。このとき、パッド２３ｃが鉄筋３の側面に沿って変形し、当該側面に密着する。
【００３４】
養生工程は、鉄筋３を仮固定した状態で、充填材４が固まるのを待つ工程である。養生工程では、充填材４に所望の強度が発現するまで待つ。
【００３５】
取外工程は、養生終了後に、定着用治具１０をコンクリート構造物１から取り外す工程である。取外工程では、鉄筋３の仮固定を解除した後に、アンカー１５を取外し、ベース部１１をコンクリート構造物１から取り外す。このとき、鉄筋３の突出部分がベース部１１の切欠き部１３ｂを通過するように、定着用治具１０を横方向にスライドさせる。取外し工程が完了すると、図４の（ｆ）に示すように、鉄筋３が挿入孔２に定着される。なお、養生工程で、鉄筋３が落下しない強度が充填材４に発現すれば、取外工程を開始してもよい。この場合、養生工程の一部と取外工程が重複する。
【００３６】
以下、本実施形態に係る後施工棒状部材の定着用治具１０および定着方法の作用効果を説明する。かかる定着用治具１０および定着方法によれば、ベース部１１をコンクリート構造物１に固定して、押え部２１，２１で鉄筋３を押えるだけで、容易に鉄筋３を仮固定することができる。これによって、鉄筋３を所定位置に確実に固定することができる。また、かかる定着用治具は、構造が簡単である上に、押え部２１，２１が鉄筋３の周囲に配置されているので、両側から鉄筋３を挟持することで、安定した状態で鉄筋３を固定できる。
【００３７】
また、本実施形態では、押え部２１は、鉄筋３の側面に向かって出没可能なネジ部材２２を備えているので、ネジ部材２２で鉄筋３を強固に押圧することができる。したがって、鉄筋３を確実に挟持することができる。さらに、各ネジ部材２２の出没位置を変動することで、鉄筋３の固定位置および傾斜角度を調整することができる。
【００３８】
さらに、本実施形態では、挿通部１３には、挿入孔２を塞ぐ蓋部材１６が設けられているので、セメント系の充填材４の場合は、挿入孔２内のモルタルが空気に触れにくく乾燥し難い。したがって、充填材４の湿潤状態を維持できるので、養生を良好な環境で行える。また、充填材４の粘度が低い場合には、充填材４が垂れ下がるのを防止できる。さらに、蓋部材１６が弾性部材にて構成されているので、鉄筋３より大径の定着板５ａを、棒状部材挿通孔１７から挿入孔２へと挿入することができる。特に棒状部材挿通孔１７の周縁部に切込み１７ａが形成されているので、棒状部材挿通孔１７を容易に押し広げることができる。
【００３９】
また、ベース部１１は、ネジ状のアンカー１５にてコンクリート構造物１に固定されているので、定着用治具１０の着脱を容易に行うことができる。これにより、作業性が向上するとともに、定着用治具１０の転用が可能であるので、経済性に優れる。
【００４０】
以上、本発明を実施するための形態について説明したが、本発明は前記実施形態に限定する趣旨ではなく、本発明の趣旨を逸脱しない範囲で適宜設計変更が可能である。たとえば、前記実施形態では、ベース部１１に断面Ｌ字形状のアングル材２４を溶接して立上板部２２を形成しているが、これに限定されるものではない。たとえばベース部１１の一部を切り起こして形成してもよい。さらに、立上板部２２の形状は、平板を鉄筋３の両側に配置するものに限定されるものではない。たとえば、平面視半円状の立上板部によって、鉄筋３の片側を囲うようにしてもよい。
【００４１】
また、前記実施形態では、ネジ部材２３によって、押圧部２３ｂを鉄筋３に押し付けているが、これに限定されるものではない。たとえばバネによって押圧部２３ｂを鉄筋３に押し付けてもよい。なお、前記実施形態のように、ネジ部材２３によって鉄筋３を保持する方が、バネよりも強固に鉄筋３を固定できるので好ましい。
【００４２】
さらに、前記実施形態では、押え部２１は、鉄筋３を挟む二ヶ所に設けられているが、これに限定されるものではない。たとえば、鉄筋３を囲むように三ヶ所に設けてもよいし、さらに四ヶ所以上に設けていてもよい。押え部２１の設置を三ヶ所または四ヶ所とすると、ネジ部材２３の位置を変動させることで、鉄筋３を押える水平位置を細かく調整できる。これによって、鉄筋３の傾斜角度をより精度よく調整することができる。
【００４３】
また、前記実施形態では、押え部２１は、鉄筋３の軸方向において一カ所の高さに設けられているが、これに限定されるものではない。押え部は、鉄筋の軸方向において、二ヶ所以上の高さ位置に設けてもよい。このようにすれば、特にコンクリート構造物１からの鉄筋３の突出長さが大きい場合に、鉄筋を確実に押えられるとともに、鉄筋の位置精度をより一層高めることができる。
【００４４】
さらに、前記実施形態では、定着用治具１０について、鉄筋３を上向きに差し込む上向き施工の場合を例に挙げて説明したが、これに限定されるものではない。本発明に係る定着用治具１０は、横向き施工時に鉄筋の位置を精度よく決定するために仮固定することが必要な場合にも適用することができる。
【００４５】
また、前記実施形態では、挿通部１３は、貫通孔１３ａと切欠き部１３ｂとを備えているが、これに限定されるものではない。鉄筋３の下側の定着板が設けられておらず、下端部を折り曲げた定着部である場合等には、切欠き部を設けず、貫通孔１３ａのみで挿通部１３を形成してもよい。
【００４６】
さらに、前記実施形態では、ネジ状のアンカー１５を用いて定着用治具１０をコンクリート構造物１に固定しているが、これに限定されるものではない。コンクリート構造物１に鉄板を設置し、定着用治具に磁石を取り付け、定着用治具を鉄板に磁着させるようにしてもよい。このようにすれば、定着用治具の固定作業がより一層容易になる。
【符号の説明】
【００４７】
１      コンクリート構造物
２      挿入孔
３      鉄筋（棒状部材）
４      充填材
１０    定着用治具
１１    ベース部
１３    挿通部
１６    蓋部材
１７    棒状部材挿通孔
２１    押え部
２２    立上板部
２３    ネジ部材
【図１】
2020117923.tif 000003
【図２】
2020117923.tif 000004
【図３】
2020117923.tif 000005
【図４】
2020117923.tif 000006